【手続補正書】
【提出日】平成15年7月25日(2003.7.25)
【手続補正１】
【補正対象書類名】明細書
【補正対象項目名】発明の名称
【補正方法】変更
【補正の内容】
【発明の名称】情報記録装置及び方法並びに情報再生装置及び方法
【手続補正２】
【補正対象書類名】明細書
【補正対象項目名】特許請求の範囲
【補正方法】変更
【補正の内容】
【特許請求の範囲】
【請求項１】
夫々が識別番号を有する複数の記録情報片を作成する第１の情報片作成手段と、
夫々が一の前記記録情報片に対応する前記記録情報片の属性情報を含む複数の個別属性情報片を作成する第２の情報片作成手段と、
全ての前記個別属性情報片に含まれる情報の一部又は全部を集めてなる集合属性情報片を作成する第３の情報片作成手段と、
前記記録情報片、前記個別属性情報片及び前記集合属性情報片を記録媒体上に記録する記録手段と、を備え、
前記集合属性情報片においては、前記識別番号の順に従って前記個別属性情報片に含まれる情報が配列されることを特徴とする情報記録装置。
【請求項２】
前記記録情報片は映像情報を含み、
前記個別属性情報片及び集合属性情報片は、前記映像情報のビデオ圧縮モード、アスペクト比、及び表示モードを示す情報を夫々含むことを特徴とする請求項１に記載の情報記録装置。
【請求項３】
前記記録情報片は音声情報を含み、
前記個別属性情報片及び集合属性情報片は、前記音声情報の符号化方式、量子化ビット数、標本化周波数、及びチャンネル数を示す情報を夫々含むことを特徴とする請求項１又は２に記載の情報記録装置。
【請求項４】
前記記録情報片は副映像情報を含み、
前記個別属性情報片及び集合属性情報片は、前記副映像情報の符号化方式、及び種類を示す情報を夫々含むことを特徴とする請求項１乃至３のいずれか一に記載の情報記録装置。
【請求項５】
前記個別属性情報片及び集合属性情報片は、前記記録情報片に含まれる記録情報の種類を示すアプリケーションタイプ情報を夫々含むことを特徴とする請求項１乃至４のいずれか一に記載の情報記録装置。
【請求項６】
夫々が識別番号を有すると共に、映像情報を含む複数の記録情報片を作成する第１の情報片作成手段と、
夫々が一の前記記録情報片に対応し、対応する前記記録情報片の属性情報を含む複数の個別属性情報片を作成する第２の情報片作成手段と、
全ての前記記録情報片について、対応する前記個別属性情報片に含まれる情報の一部又は全部を集めてなる集合属性情報片を作成する第３の情報片作成手段と、
前記記録情報片、前記個別属性情報片及び前記集合属性情報片を記録媒体上に記録する記録手段と、を備え、
前記個別属性情報片及び集合属性情報片の双方は、前記映像情報のビデオ圧縮モード、アスペクト比、及び表示モードを示す情報を含むことを特徴とする情報記録装置。
【請求項７】
前記記録媒体はマスタディスクであり、
前記マスタディスクを用いてレプリカディスクを製造する手段をさらに備えることを特徴とする請求項１乃至６のいずれか一に記載の情報記録装置。
【請求項８】
請求項７に記載の情報記録装置により製造されたレプリカディスク。
【請求項９】
複数の記録情報片と、
夫々が一の前記記録情報片に対応し、対応する前記記録情報片の属性情報を含む複数の個別属性情報片と、
全ての前記記録情報片について、対応する前記個別属性情報片に含まれる情報の一部又は全部を集めてなる集合属性情報片と、が記録され、
前記記録情報片が少なくとも一つのタイトルを含んで記録されている情報記録媒体から情報を再生する情報再生装置であって、
再生すべき前記タイトルの指定を行うための入力手段と、
前記集合属性情報片を参照して、前記指定されたタイトルに対応する属性情報の少なくとも一部に対応する表示信号を生成する表示信号生成手段と、
を備えることを特徴とする情報再生装置。
【請求項１０】
前記入力手段は、前記表示信号に基づいて表示された属性情報の指定を可能とするものであり、
前記指定されたタイトルを、前記指定された属性情報に従って再生する再生手段を備えることを特徴とする請求項９に記載の情報再生装置。
【請求項１１】
複数の記録情報片と、
夫々が一の前記記録情報片に対応し、対応する前記記録情報片の属性情報を含む複数の個別属性情報片と、
全ての前記記録情報片について、対応する前記個別属性情報片に含まれる情報の一部又は全部を集めてなる集合属性情報片と、が記録され、
前記記録情報片が少なくとも一つのタイトルを含んで記録されている情報記録媒体から情報を再生する情報再生装置であって、
所定の属性に関する指定を行うための入力手段と、
前記集合属性情報片を参照して、前記指定された属性を有するタイトルに対応する表示信号を生成する表示信号生成手段と、
を備えることを特徴とする情報再生装置。
【請求項１２】
前記入力手段は、前記表示信号に基づいて表示されたタイトルの指定を行うものであり、
前記指定されたタイトルを再生する再生手段を備えることを特徴とする請求項１１に記載の情報再生装置。
【請求項１３】
複数の記録情報片と、
夫々が一の前記記録情報片に対応し、対応する前記記録情報片の属性情報を含む複数の個別属性情報片と、
全ての前記記録情報片について、対応する前記個別属性情報片に含まれる情報の一部又は全部を集めてなる集合属性情報片と、が記録され、
前記記録情報片が少なくとも一つのタイトルを含んで記録されている情報記録媒体から情報を再生する情報再生装置であって、
所定の機能に関する指定を行うための入力手段と、
前記集合属性情報片を参照して、前記指定された機能を実現可能なタイトルに対応する表示信号を生成する表示信号生成手段と、
を備えることを特徴とする情報再生装置。
【請求項１４】
前記入力手段は、前記表示信号に基づいて表示されたタイトルの指定を行うものであり、
前記指定されたタイトルを再生する再生手段を備えることを特徴とする請求項１３に記載の情報再生装置。
【請求項１５】
夫々が識別番号を有する複数の記録情報片を作成する第１の情報片作成手段と、
夫々が一の前記記録情報片に対応する前記記録情報片の属性情報を含む複数の個別属性情報片を作成する第２の情報片作成手段と、
全ての前記個別属性情報片に含まれる情報の一部又は全部を集めてなる集合属性情報片を作成する第３の情報片作成手段と、を有し、
前記集合属性情報片においては、前記識別番号の順に従って前記個別属性情報片に含まれる情報が配列されることを特徴とする情報処理装置。
【請求項１６】
前記記録情報片は映像情報を含み、
前記個別属性情報片及び集合属性情報片は、前記映像情報のビデオ圧縮モード、アスペクト比、及び表示モードを示す情報を夫々含むことを特徴とする請求項１５に記載の情報処理装置。
【請求項１７】
前記記録情報片は音声情報を含み、
前記個別属性情報片及び集合属性情報片は、前記音声情報の符号化方式、量子化ビット数、標本化周波数、及びチャンネル数を示す情報を夫々含むことを特徴とする請求項１５又は１６に記載の情報処理装置。
【請求項１８】
前記記録情報片は副映像情報を含み、
前記個別属性情報片及び集合属性情報片は、前記副映像情報の符号化方式、及び種類を示す情報を夫々含むことを特徴とする請求項１５乃至１７のいずれか一に記載の情報処理装置。
【請求項１９】
前記個別属性情報片及び集合属性情報片は、前記記録情報片に含まれる記録情報の種類を示すアプリケーションタイプ情報を夫々含むことを特徴とする請求項１５乃至１８のいずれか一に記載の情報処理装置。
【請求項２０】
夫々が識別番号を有すると共に、映像情報を含む複数の記録情報片を作成する第１の情報片作成手段と、
夫々が一の前記記録情報片に対応する前記記録情報片の属性情報を含む複数の個別属性情報片を作成する第２の情報片作成手段と、
全ての前記記録情報片について、対応する前記個別属性情報片に含まれる情報の一部又は全部を集めてなる集合属性情報片を作成する第３の情報片作成手段と、を備え、
前記個別属性情報片及び集合属性情報片の双方は、前記映像情報のビデオ圧縮モード、アスペクト比、及び表示モードを示す情報を含むことを特徴とする情報処理装置。
【請求項２１】
夫々が識別番号を有する複数の記録情報片を作成する第１の情報片作成工程と、
夫々が一の前記記録情報片に対応する前記記録情報片の属性情報を含む複数の個別属性情報片を作成する第２の情報片作成工程と、
全ての前記個別属性情報片に含まれる情報の一部又は全部を集めてなる集合属性情報片を作成する第３の情報片作成工程と、
前記記録情報片、前記個別属性情報片及び前記集合属性情報片を記録媒体上に記録する記録工程と、を含み、
前記集合属性情報片においては、前記識別番号の順に従って前記個別属性情報片に含まれる情報が配列されることを特徴とする情報記録方法。
【請求項２２】
前記記録情報片は映像情報を含み、
前記個別属性情報片及び集合属性情報片は、前記映像情報のビデオ圧縮モード、アスペクト比、及び表示モードを示す情報を夫々含むことを特徴とする請求項２１に記載の情報記録方法。
【請求項２３】
前記記録情報片は音声情報を含み、
前記個別属性情報片及び集合属性情報片は、前記音声情報の符号化方式、量子化ビット数、標本化周波数、及びチャンネル数を示す情報を夫々含むことを特徴とする請求項２１又は２２に記載の情報記録方法。
【請求項２４】
前記記録情報片は副映像情報を含み、
前記個別属性情報片及び集合属性情報片は、前記副映像情報の符号化方式、及び種類を示す情報を夫々含むことを特徴とする請求項２１乃至２３のいずれか一に記載の情報記録方法。
【請求項２５】
前記個別属性情報片及び集合属性情報片は、前記記録情報片に含まれる記録情報の種類を示すアプリケーションタイプ情報を夫々含むことを特徴とする請求項２１乃至２４のいずれか一に記載の情報記録方法。
【請求項２６】
夫々が識別番号を有すると共に、映像情報を含む複数の記録情報片を作成する第１の情報片作成工程と、
夫々が一の前記記録情報片に対応し、対応する前記記録情報片の属性情報を含む複数の個別属性情報片を作成する第２の情報片作成工程と、
全ての前記記録情報片について、対応する前記個別属性情報片に含まれる情報の一部又は全部を集めてなる集合属性情報片を作成する第３の情報片作成工程と、
前記記録情報片、前記個別属性情報片及び前記集合属性情報片を記録媒体上に記録する記録工程と、を含み、
前記個別属性情報片及び集合属性情報片の双方は、前記映像情報のビデオ圧縮モード、アスペクト比、及び表示モードを示す情報を含むことを特徴とする情報記録方法。
【請求項２７】
前記記録媒体はマスタディスクであり、
前記マスタディスクを用いてレプリカディスクを製造する工程をさらに備えることを特徴とする請求項２１乃至２６のいずれか一に記載の情報記録方法。
【請求項２８】
請求項２７に記載の情報記録方法を用いて製造されたレプリカディスク。
【請求項２９】
複数の記録情報片と、
夫々が一の前記記録情報片に対応し、対応する前記記録情報片の属性情報を含む複数の個別属性情報片と、
全ての前記記録情報片について、対応する前記個別属性情報片に含まれる情報の一部又は全部を集めてなる集合属性情報片と、が記録され、
前記記録情報片が少なくとも一つのタイトルを含んで記録されている情報記録媒体から情報を再生する情報再生方法であって、
再生すべき前記タイトルの指定を行う入力工程と、
前記集合属性情報片を参照して、前記指定されたタイトルに対応する属性情報の少なくとも一部に対応する表示信号を生成する表示信号生成工程と、
を備えることを特徴とする情報再生方法。
【請求項３０】
前記表示信号に基づいて表示された属性情報の指定を行う第２の入力工程と、
前記指定されたタイトルを、前記指定された属性情報に従って再生する再生工程と、
を備えることを特徴とする請求項２９に記載の情報再生方法。
【請求項３１】
複数の記録情報片と、
夫々が一の前記記録情報片に対応し、対応する前記記録情報片の属性情報を含む複数の個別属性情報片と、
全ての前記記録情報片について、対応する前記個別属性情報片に含まれる情報の一部又は全部を集めてなる集合属性情報片と、が記録され、
前記記録情報片が少なくとも一つのタイトルを含んで記録されている情報記録媒体から情報を再生する情報再生方法であって、
所定の属性に関する指定を行う入力工程と、
前記集合属性情報片を参照して、前記指定された属性を有するタイトルに対応する表示信号を生成する表示信号生成工程と、
を備えることを特徴とする情報再生方法。
【請求項３２】
前記表示信号に基づいて表示されたタイトルの指定を行う第２の入力工程と、
前記指定されたタイトルを再生する再生工程と、
を備えることを特徴とする請求項３１に記載の情報再生方法。
【請求項３３】
複数の記録情報片と、
夫々が一の前記記録情報片に対応し、対応する前記記録情報片の属性情報を含む複数の個別属性情報片と、
全ての前記記録情報片について、対応する前記個別属性情報片に含まれる情報の一部又は全部を集めてなる集合属性情報片と、が記録され、
前記記録情報片が少なくとも一つのタイトルを含んで記録されている情報記録媒体から情報を再生する情報再生方法であって、
所定の機能に関する指定を行う入力工程と、
前記集合属性情報片を参照して、前記指定された機能を実現可能なタイトルに対応する表示信号を生成する表示信号生成工程と、
を備えることを特徴とする情報再生方法。
【請求項３４】
前記表示信号に基づいて表示されたタイトルの指定を行う第２の入力工程と、
前記指定されたタイトルを再生する再生工程と、
を備えることを特徴とする請求項３３に記載の情報再生方法。
【請求項３５】
夫々が識別番号を有する複数の記録情報片を作成する第１の情報片作成工程と、
夫々が一の前記記録情報片に対応する前記記録情報片の属性情報を含む複数の個別属性情報片を作成する第２の情報片作成工程と、
全ての前記個別属性情報片に含まれる情報の一部又は全部を集めてなる集合属性情報片を作成する第３の情報片作成工程と、を有し、
前記集合属性情報片においては、前記識別番号の順に従って前記個別属性情報片に含まれる情報が配列されることを特徴とする情報処理方法。
【請求項３６】
前記記録情報片は映像情報を含み、
前記個別属性情報片及び集合属性情報片は、前記映像情報のビデオ圧縮モード、アスペクト比、及び表示モードを示す情報を夫々含むことを特徴とする請求項３５に記載の情報処理方法。
【請求項３７】
前記記録情報片は音声情報を含み、
前記個別属性情報片及び集合属性情報片は、前記音声情報の符号化方式、量子化ビット数、標本化周波数、及びチャンネル数を示す情報を夫々含むことを特徴とする請求項３５又は３６に記載の情報処理方法。
【請求項３８】
前記記録情報片は副映像情報を含み、
前記個別属性情報片及び集合属性情報片は、前記副映像情報の符号化方式、及び種類を示す情報を夫々含むことを特徴とする請求項３５乃至３７のいずれか一に記載の情報処理方法。
【請求項３９】
前記個別属性情報片及び集合属性情報片は、前記記録情報片に含まれる記録情報の種類を示すアプリケーションタイプ情報を夫々含むことを特徴とする請求項３５乃至３８のいずれか一に記載の情報処理方法。
【請求項４０】
夫々が識別番号を有すると共に、映像情報を含む複数の記録情報片を作成する第１の情報片作成工程と、
夫々が一の前記記録情報片に対応する前記記録情報片の属性情報を含む複数の個別属性情報片を作成する第２の情報片作成工程と、
全ての前記記録情報片について、対応する前記個別属性情報片に含まれる情報の一部又は全部を集めてなる集合属性情報片を作成する第３の情報片作成工程と、を含み、
前記個別属性情報片及び集合属性情報片の双方は、前記映像情報のビデオ圧縮モード、アスペクト比、及び表示モードを示す情報を含むことを特徴とする情報処理方法。
【手続補正３】
【補正対象書類名】明細書
【補正対象項目名】００１０
【補正方法】変更
【補正の内容】
【００１０】
【課題を解決するための手段】
上記の課題を解決するために、請求項１記載の発明は、夫々が識別番号を有する複数の記録情報片を作成する第１の情報片作成手段と、夫々が一の前記記録情報片に対応する前記記録情報片の属性情報を含む複数の個別属性情報片を作成する第２の情報片作成手段と、全ての前記個別属性情報片に含まれる情報の一部又は全部を集めてなる集合属性情報片を作成する第３の情報片作成手段と、前記記録情報片、前記個別属性情報片及び前記集合属性情報片を記録媒体上に記録する記録手段と、を備え、前記集合属性情報片においては、前記識別番号の順に従って前記個別属性情報片に含まれる情報が配列されるように構成する。
請求項１に記載の発明によれば、第１の情報片作成手段は、夫々が識別番号を有する複数の記録情報片を作成する。
一方、第２の情報片作成手段は、夫々が一の記録情報片に対応する記録情報片の属性情報を含む複数の個別属性情報片を作成する。
更に、第３の情報片作成手段は、全ての個別属性情報片に含まれる情報の一部又は全部を集めてなる集合属性情報片を作成する。
これらにより、記録手段は、記録情報片、個別属性情報片及び集合属性情報片を記録媒体上に記録する。
このとき、集合属性情報片においては、識別番号の順に従って個別属性情報片に含まれる情報が配列される。
よって、個々の記録情報片に対応してその属性に関する情報を含む個別属性情報片が設けられると共に、全ての個別属性情報片に含まれる情報の一部又は全部を集めてなる集合属性情報片が作成され、これらが記録情報片と共に記録される。そしてこのとき、集合属性情報片においては、識別番号の順に従って個別属性情報片に含まれる情報が配列されるので、この集合属性情報片を利用することにより、記録情報片についての属性情報を容易かつ迅速に得ることが可能となる。
【手続補正４】
【補正対象書類名】明細書
【補正対象項目名】００１１
【補正方法】変更
【補正の内容】
【００１１】
上記の課題を解決するために、請求項６に記載の発明は、夫々が識別番号を有すると共に、映像情報を含む複数の記録情報片を作成する第１の情報片作成手段と、夫々が一の前記記録情報片に対応し、対応する前記記録情報片の属性情報を含む複数の個別属性情報片を作成する第２の情報片作成手段と、全ての前記記録情報片について、対応する前記個別属性情報片に含まれる情報の一部又は全部を集めてなる集合属性情報片を作成する第３の情報片作成手段と、前記記録情報片、前記個別属性情報片及び前記集合属性情報片を記録媒体上に記録する記録手段と、を備え、前記個別属性情報片及び集合属性情報片の双方は、前記映像情報のビデオ圧縮モード、アスペクト比、及び表示モードを示す情報を含むように構成する。
請求項６に記載の発明によれば、第１の情報片作成手段は、夫々が識別番号を有すると共に、映像情報を含む複数の記録情報片を作成する。
一方、第２の情報片作成手段は、夫々が一の記録情報片に対応し、対応する記録情報片の属性情報を含む複数の個別属性情報片を作成する。
更に、第３の情報片作成手段は、全ての記録情報片について、対応する個別属性情報片に含まれる情報の一部又は全部を集めてなる集合属性情報片を作成する。
これらにより、記録手段は、記録情報片、個別属性情報片及び集合属性情報片を記録媒体上に記録する。
このとき、個別属性情報片及び集合属性情報片の双方が映像情報のビデオ圧縮モード、アスペクト比、及び表示モードを示す情報を含むように構成されている。
よって、個々の記録情報片に対応してその属性に関する情報を含む個別属性情報片が設けられると共に、全ての個別属性情報片に含まれる情報の一部又は全部を集めてなる集合属性情報片が作成され、これらが記録情報片と共に記録される。そしてこのとき、集合属性情報片及び個別属性情報片の双方において、映像情報のビデオ圧縮モード、アスペクト比、及び表示モードを示す情報が含まれているので、この集合属性情報片又は個別属性情報片を利用することにより、記録情報片に含まれている映像情報についての属性情報を容易かつ迅速に得ることが可能となる。
【手続補正５】
【補正対象書類名】明細書
【補正対象項目名】００１２
【補正方法】変更
【補正の内容】
【００１２】
上記の課題を解決するために、請求項９に記載の発明は、複数の記録情報片と、夫々が一の前記記録情報片に対応し、対応する前記記録情報片の属性情報を含む複数の個別属性情報片と、全ての前記記録情報片について、対応する前記個別属性情報片に含まれる情報の一部又は全部を集めてなる集合属性情報片と、が記録され、前記記録情報片が少なくとも一つのタイトルを含んで記録されている情報記録媒体から情報を再生する情報再生装置であって、再生すべき前記タイトルの指定を行うための入力手段と、前記集合属性情報片を参照して、前記指定されたタイトルに対応する属性情報の少なくとも一部に対応する表示信号を生成する表示信号生成手段と、を備える。
請求項９に記載の発明によれば、入力手段は、再生すべきタイトルの指定を行うために用いられる。
そして、表示信号生成手段は、集合属性情報片を参照して、定されたタイトルに対応する属性情報の少なくとも一部に対応する表示信号を生成する。
よって、情報の再生時において、集合属性情報片を参照して、指定されたタイトルに対応する属性情報の少なくとも一部に対応する表示信号を生成するので、分散して記録されている個々の個別属性情報片を読み取る必要はなく、指定されたタイトルに対応する属性情報を迅速に使用者に告知することができる。また、使用者はこの告知結果を参照して再生すべき記録情報片を指定できる。
【手続補正６】
【補正対象書類名】明細書
【補正対象項目名】００１３
【補正方法】変更
【補正の内容】
【００１３】
上記の課題を解決するために、請求項１１に記載の発明は、複数の記録情報片と、夫々が一の前記記録情報片に対応し、対応する前記記録情報片の属性情報を含む複数の個別属性情報片と、全ての前記記録情報片について、対応する前記個別属性情報片に含まれる情報の一部又は全部を集めてなる集合属性情報片と、が記録され、前記記録情報片が少なくとも一つのタイトルを含んで記録されている情報記録媒体から情報を再生する情報再生装置であって、所定の属性に関する指定を行うための入力手段と、前記集合属性情報片を参照して、前記指定された属性を有するタイトルに対応する表示信号を生成する表示信号生成手段と、を備える。
請求項１１に記載の発明によれば、入力手段は、所定の属性に関する指定を行うために用いられる。
そして、表示信号生成手段は、集合属性情報片を参照して、指定された属性を有するタイトルに対応する表示信号を生成する。
よって、情報の再生時において、集合属性情報片を参照して、指定された属性を有するタイトルに対応する表示信号を生成するので、分散して記録されている個々の個別属性情報片を読み取る必要はなく、指定された属性に対応するタイトルを迅速に使用者に告知することができる。また、使用者はこの告知結果を参照して再生すべきタイトルを含む記録情報片を指定できる。
【手続補正７】
【補正対象書類名】明細書
【補正対象項目名】００１４
【補正方法】変更
【補正の内容】
【００１４】
上記の課題を解決するために、請求項１３に記載の発明は、複数の記録情報片と、夫々が一の前記記録情報片に対応し、対応する前記記録情報片の属性情報を含む複数の個別属性情報片と、全ての前記記録情報片について、対応する前記個別属性情報片に含まれる情報の一部又は全部を集めてなる集合属性情報片と、が記録され、前記記録情報片が少なくとも一つのタイトルを含んで記録されている情報記録媒体から情報を再生する情報再生装置であって、所定の機能に関する指定を行うための入力手段と、前記集合属性情報片を参照して、前記指定された機能を実現可能なタイトルに対応する表示信号を生成する表示信号生成手段と、を備える。
請求項１３に記載の発明によれば、入力手段は、所定の機能に関する指定を行うために用いられる。
そして、表示信号生成手段は、集合属性情報片を参照して、指定された機能を実現可能なタイトルに対応する表示信号を生成する。
よって、情報の再生時において、集合属性情報片を参照して、指定された機能を実現可能なタイトルに対応する表示信号を生成するので、分散して記録されている個々の個別属性情報片を読み取る必要はなく、指定された機能を実現可能なタイトルを迅速に使用者に告知することができる。また、使用者はこの告知結果を参照して再生すべきタイトルを含む記録情報片を指定できる。
【手続補正８】
【補正対象書類名】明細書
【補正対象項目名】００１５
【補正方法】変更
【補正の内容】
【００１５】
上記の課題を解決するために、請求項１５に記載の発明は、夫々が識別番号を有する複数の記録情報片を作成する第１の情報片作成手段と、夫々が一の前記記録情報片に対応する前記記録情報片の属性情報を含む複数の個別属性情報片を作成する第２の情報片作成手段と、全ての前記個別属性情報片に含まれる情報の一部又は全部を集めてなる集合属性情報片を作成する第３の情報片作成手段と、を有し、前記集合属性情報片においては、前記識別番号の順に従って前記個別属性情報片に含まれる情報が配列される。
請求項１５に記載の発明によれば、第１の情報片作成手段は、夫々が識別番号を有する複数の記録情報片を作成する。
一方、第２の情報片作成手段は、夫々が一の記録情報片に対応する記録情報片の属性情報を含む複数の個別属性情報片を作成する。
更に、第３の情報片作成手段は、全ての個別属性情報片に含まれる情報の一部又は全部を集めてなる集合属性情報片を作成する。
このとき、集合属性情報片においては、識別番号の順に従って個別属性情報片に含まれる情報が配列される。
よって、個々の記録情報片に対応してその属性に関する情報を含む個別属性情報片が設けられると共に、全ての個別属性情報片に含まれる情報の一部又は全部を集めてなる集合属性情報片が作成される。そしてこのとき、集合属性情報片においては、識別番号の順に従って個別属性情報片に含まれる情報が配列される。従って、作成された集合属性情報片を記録情報片と共に記録することで、当該記録媒体からの情報の再生時においてこの集合属性情報片を利用することにより、記録情報片についての属性情報を容易かつ迅速に得ることが可能となる。
【手続補正９】
【補正対象書類名】明細書
【補正対象項目名】００１６
【補正方法】変更
【補正の内容】
【００１６】
上記の課題を解決するために、請求項２０に記載の発明は、夫々が識別番号を有すると共に、映像情報を含む複数の記録情報片を作成する第１の情報片作成手段と、夫々が一の前記記録情報片に対応する前記記録情報片の属性情報を含む複数の個別属性情報片を作成する第２の情報片作成手段と、全ての前記記録情報片について、対応する前記個別属性情報片に含まれる情報の一部又は全部を集めてなる集合属性情報片を作成する第３の情報片作成手段と、を備え、前記個別属性情報片及び集合属性情報片の双方は、前記映像情報のビデオ圧縮モード、アスペクト比、及び表示モードを示す情報を含むように構成される。
請求項２０に記載の発明によれば、第１の情報片作成手段は、夫々が識別番号を有すると共に、映像情報を含む複数の記録情報片を作成する。
一方、第２の情報片作成手段は、夫々が一の記録情報片に対応し、対応する記録情報片の属性情報を含む複数の個別属性情報片を作成する。
更に、第３の情報片作成手段は、全ての記録情報片について、対応する個別属性情報片に含まれる情報の一部又は全部を集めてなる集合属性情報片を作成する。
このとき、個別属性情報片及び集合属性情報片の双方が映像情報のビデオ圧縮モード、アスペクト比、及び表示モードを示す情報を含むように構成されている。
よって、個々の記録情報片に対応してその属性に関する情報を含む個別属性情報片が設けられると共に、全ての個別属性情報片に含まれる情報の一部又は全部を集めてなる集合属性情報片が作成される。そしてこのとき、集合属性情報片及び個別属性情報片の双方において、映像情報のビデオ圧縮モード、アスペクト比、及び表示モードを示す情報が含まれている。従って、作成された集合属性情報片及び個別属性情報片の双方を記録情報片と共に記録媒体に記録することで、当該記録媒体からの情報の再生時においてこれら集合属性情報片又は個別属性情報片を利用することにより、記録情報片に含まれている映像情報についての属性情報を容易かつ迅速に得ることが可能となる。
【手続補正１０】
【補正対象書類名】明細書
【補正対象項目名】００１７
【補正方法】変更
【補正の内容】
【００１７】
上記の課題を解決するために，請求項２１に記載の発明は，夫々が識別番号を有する複数の記録情報片を作成する第１の情報片作成工程と、夫々が一の前記記録情報片に対応する前記記録情報片の属性情報を含む複数の個別属性情報片を作成する第２の情報片作成工程と、全ての前記個別属性情報片に含まれる情報の一部又は全部を集めてなる集合属性情報片を作成する第３の情報片作成工程と、前記記録情報片、前記個別属性情報片及び前記集合属性情報片を記録媒体上に記録する記録工程と、を含み、前記集合属性情報片においては、前記識別番号の順に従って前記個別属性情報片に含まれる情報が配列される。
請求項２１に記載の発明によれば、第１の情報片作成工程において、夫々が識別番号を有する複数の記録情報片を作成する。
一方、第２の情報片作成工程において、夫々が一の記録情報片に対応する記録情報片の属性情報を含む複数の個別属性情報片を作成する。
更に、第３の情報片作成工程において、全ての個別属性情報片に含まれる情報の一部又は全部を集めてなる集合属性情報片を作成する。
これらにより、記録工程において、記録情報片、個別属性情報片及び集合属性情報片を記録媒体上に記録する。
このとき、集合属性情報片においては、識別番号の順に従って個別属性情報片に含まれる情報が配列される。
よって、個々の記録情報片に対応してその属性に関する情報を含む個別属性情報片が設けられると共に、全ての個別属性情報片に含まれる情報の一部又は全部を集めてなる集合属性情報片が作成され、これらが記録情報片と共に記録される。そしてこのとき、集合属性情報片においては、識別番号の順に従って個別属性情報片に含まれる情報が配列されるので、この集合属性情報片を利用することにより、記録情報片についての属性情報を容易かつ迅速に得ることが可能となる。
【手続補正１１】
【補正対象書類名】明細書
【補正対象項目名】００１８
【補正方法】変更
【補正の内容】
【００１８】
上記の課題を解決するために、請求項２６に記載の発明は、夫々が識別番号を有すると共に、映像情報を含む複数の記録情報片を作成する第１の情報片作成工程と、夫々が一の前記記録情報片に対応し、対応する前記記録情報片の属性情報を含む複数の個別属性情報片を作成する第２の情報片作成工程と、全ての前記記録情報片について、対応する前記個別属性情報片に含まれる情報の一部又は全部を集めてなる集合属性情報片を作成する第３の情報片作成工程と、前記記録情報片、前記個別属性情報片及び前記集合属性情報片を記録媒体上に記録する記録工程と、を含み、前記個別属性情報片及び集合属性情報片の双方は、前記映像情報のビデオ圧縮モード、アスペクト比、及び表示モードを示す情報を含むように構成される。
請求項２６に記載の発明によれば、第１の情報片作成工程において、夫々が識別番号を有すると共に、映像情報を含む複数の記録情報片を作成する。
一方、第２の情報片作成工程において、夫々が一の記録情報片に対応し、対応する記録情報片の属性情報を含む複数の個別属性情報片を作成する。
更に、第３の情報片作成工程において、全ての記録情報片について、対応する個別属性情報片に含まれる情報の一部又は全部を集めてなる集合属性情報片を作成する。
これらにより、記録工程において、記録情報片、個別属性情報片及び集合属性情報片を記録媒体上に記録する。
このとき、個別属性情報片及び集合属性情報片の双方が映像情報のビデオ圧縮モード、アスペクト比、及び表示モードを示す情報を含むように構成されている。
よって、個々の記録情報片に対応してその属性に関する情報を含む個別属性情報片が設けられると共に、全ての個別属性情報片に含まれる情報の一部又は全部を集めてなる集合属性情報片が作成され、これらが記録情報片と共に記録される。そしてこのとき、集合属性情報片及び個別属性情報片の双方において、映像情報のビデオ圧縮モード、アスペクト比、及び表示モードを示す情報が含まれているので、この集合属性情報片又は個別属性情報片を利用することにより、記録情報片に含まれている映像情報についての属性情報を容易かつ迅速に得ることが可能となる。
【手続補正１２】
【補正対象書類名】明細書
【補正対象項目名】００１９
【補正方法】変更
【補正の内容】
【００１９】
上記の課題を解決するために、請求項２９に記載の発明は、複数の記録情報片と、夫々が一の前記記録情報片に対応し、対応する前記記録情報片の属性情報を含む複数の個別属性情報片と、全ての前記記録情報片について、対応する前記個別属性情報片に含まれる情報の一部又は全部を集めてなる集合属性情報片と、が記録され、前記記録情報片が少なくとも一つのタイトルを含んで記録されている情報記録媒体から情報を再生する情報再生方法であって、再生すべき前記タイトルの指定を行う入力工程と、前記集合属性情報片を参照して、前記指定されたタイトルに対応する属性情報の少なくとも一部に対応する表示信号を生成する表示信号生成工程と、を備える。
請求項２９に記載の発明によれば、入力工程において、再生すべきタイトルの指定を行う。
そして、表示信号生成工程において、集合属性情報片を参照して、指定されたタイトルに対応する属性情報の少なくとも一部に対応する表示信号を生成する。よって、情報の再生時において、集合属性情報片を参照して、指定されたタイトルに対応する属性情報の少なくとも一部に対応する表示信号を生成するので、分散して記録されている個々の個別属性情報片を読み取る必要はなく、指定されたタイトルに対応する属性情報を迅速に使用者に告知することができる。また、使用者はこの告知結果を参照して再生すべき記録情報片を指定できる。
【手続補正１３】
【補正対象書類名】明細書
【補正対象項目名】００２０
【補正方法】変更
【補正の内容】
【００２０】
上記の課題を解決するために、請求項３１に記載の発明は、複数の記録情報片と、夫々が一の前記記録情報片に対応し、対応する前記記録情報片の属性情報を含む複数の個別属性情報片と、全ての前記記録情報片について、対応する前記個別属性情報片に含まれる情報の一部又は全部を集めてなる集合属性情報片と、が記録され、前記記録情報片が少なくとも一つのタイトルを含んで記録されている情報記録媒体から情報を再生する情報再生方法であって、所定の属性に関する指定を行う入力工程と、前記集合属性情報片を参照して、前記指定された属性を有するタイトルに対応する表示信号を生成する表示信号生成工程と、を備える。
請求項３１に記載の発明によれば、入力工程において、所定の属性に関する指定を行う。
そして、表示信号生成工程において、集合属性情報片を参照して、指定された属性を有するタイトルに対応する表示信号を生成する。
よって、情報の再生時において、集合属性情報片を参照して、指定された属性を有するタイトルに対応する表示信号を生成するので、分散して記録されている個々の個別属性情報片を読み取る必要はなく、指定された属性に対応するタイトルを迅速に使用者に告知することができる。また、使用者はこの告知結果を参照して再生すべきタイトルを含む記録情報片を指定できる。
【手続補正１４】
【補正対象書類名】明細書
【補正対象項目名】００２１
【補正方法】変更
【補正の内容】
【００２１】
上記の課題を解決するために、請求項３３に記載の発明は、複数の記録情報片と、夫々が一の前記記録情報片に対応し、対応する前記記録情報片の属性情報を含む複数の個別属性情報片と、全ての前記記録情報片について、対応する前記個別属性情報片に含まれる情報の一部又は全部を集めてなる集合属性情報片と、が記録され、前記記録情報片が少なくとも一つのタイトルを含んで記録されている情報記録媒体から情報を再生する情報再生方法であって、所定の機能に関する指定を行う入力工程と、前記集合属性情報片を参照して、前記指定された機能を実現可能なタイトルに対応する表示信号を生成する表示信号生成工程と、を備える。
請求項３３に記載の発明によれば、入力工程において、所定の機能に関する指定を行う。
そして、表示信号生成工程において、集合属性情報片を参照して、指定された機能を実現可能なタイトルに対応する表示信号を生成する。
【手続補正１５】
【補正対象書類名】明細書
【補正対象項目名】００２２
【補正方法】変更
【補正の内容】
【００２２】
よって、情報の再生時において、集合属性情報片を参照して、指定された機能を実現可能なタイトルに対応する表示信号を生成するので、分散して記録されている個々の個別属性情報片を読み取る必要はなく、指定された機能を実現可能なタイトルを迅速に使用者に告知することができる。また、使用者はこの告知結果を参照して再生すべきタイトルを含む記録情報片を指定できる。
【手続補正１６】
【補正対象書類名】明細書
【補正対象項目名】００２３
【補正方法】変更
【補正の内容】
【００２３】
上記の課題を解決するために、請求項３５に記載の発明は、夫々が識別番号を有する複数の記録情報片を作成する第１の情報片作成工程と、夫々が一の前記記録情報片に対応する前記記録情報片の属性情報を含む複数の個別属性情報片を作成する第２の情報片作成工程と、全ての前記個別属性情報片に含まれる情報の一部又は全部を集めてなる集合属性情報片を作成する第３の情報片作成工程と、を有し、前記集合属性情報片においては、前記識別番号の順に従って前記個別属性情報片に含まれる情報が配列される。
請求項１５に記載の発明によれば、第１の情報片作成工程において、夫々が識別番号を有する複数の記録情報片を作成する。
一方、第２の情報片作成工程において、夫々が一の記録情報片に対応する記録情報片の属性情報を含む複数の個別属性情報片を作成する。
更に、第３の情報片作成工程において、全ての個別属性情報片に含まれる情報の一部又は全部を集めてなる集合属性情報片を作成する。
このとき、集合属性情報片においては、識別番号の順に従って個別属性情報片に含まれる情報が配列される。
【手続補正１７】
【補正対象書類名】明細書
【補正対象項目名】００２４
【補正方法】変更
【補正の内容】
【００２４】
よって、個々の記録情報片に対応してその属性に関する情報を含む個別属性情報片が設けられると共に、全ての個別属性情報片に含まれる情報の一部又は全部を集めてなる集合属性情報片が作成される。そしてこのとき、集合属性情報片においては、識別番号の順に従って個別属性情報片に含まれる情報が配列される。従って、作成された集合属性情報片を記録情報片と共に記録することで、当該記録媒体からの情報の再生時においてこの集合属性情報片を利用することにより、記録情報片についての属性情報を容易かつ迅速に得ることが可能となる。
【手続補正１８】
【補正対象書類名】明細書
【補正対象項目名】００２５
【補正方法】変更
【補正の内容】
【００２５】
上記の課題を解決するために、請求項４０に記載の発明は、夫々が識別番号を有すると共に、映像情報を含む複数の記録情報片を作成する第１の情報片作成工程と、夫々が一の前記記録情報片に対応する前記記録情報片の属性情報を含む複数の個別属性情報片を作成する第２の情報片作成工程と、全ての前記記録情報片について、対応する前記個別属性情報片に含まれる情報の一部又は全部を集めてなる集合属性情報片を作成する第３の情報片作成工程と、を含み、前記個別属性情報片及び集合属性情報片の双方は、前記映像情報のビデオ圧縮モード、アスペクト比、及び表示モードを示す情報を含むように構成される。
請求項４０に記載の発明によれば、第１の情報片作成工程において、夫々が識別番号を有すると共に、映像情報を含む複数の記録情報片を作成する。
一方、第２の情報片作成工程において、夫々が一の記録情報片に対応し、対応する記録情報片の属性情報を含む複数の個別属性情報片を作成する。
更に、第３の情報片作成工程において、全ての記録情報片について、対応する個別属性情報片に含まれる情報の一部又は全部を集めてなる集合属性情報片を作成する。
このとき、個別属性情報片及び集合属性情報片の双方が映像情報のビデオ圧縮モード、アスペクト比、及び表示モードを示す情報を含むように構成されている。
【手続補正１９】
【補正対象書類名】明細書
【補正対象項目名】００２６
【補正方法】変更
【補正の内容】
【００２６】
よって、個々の記録情報片に対応してその属性に関する情報を含む個別属性情報片が設けられると共に、全ての個別属性情報片に含まれる情報の一部又は全部を集めてなる集合属性情報片が作成される。そしてこのとき、集合属性情報片及び個別属性情報片の双方において、映像情報のビデオ圧縮モード、アスペクト比、及び表示モードを示す情報が含まれている。従って、作成された集合属性情報片及び個別属性情報片の双方を記録情報片と共に記録媒体に記録することで、当該記録媒体からの情報の再生時においてこれら集合属性情報片又は個別属性情報片を利用することにより、記録情報片に含まれている映像情報についての属性情報を容易かつ迅速に得ることが可能となる。
【手続補正２０】
【補正対象書類名】明細書
【補正対象項目名】００９９
【補正方法】削除
【補正の内容】
【手続補正２１】
【補正対象書類名】明細書
【補正対象項目名】０１００
【補正方法】削除
【補正の内容】
【手続補正２２】
【補正対象書類名】明細書
【補正対象項目名】０１０１
【補正方法】削除
【補正の内容】
【手続補正２３】
【補正対象書類名】明細書
【補正対象項目名】０１０２
【補正方法】削除
【補正の内容】
【手続補正２４】
【補正対象書類名】明細書
【補正対象項目名】０１０３
【補正方法】削除
【補正の内容】
【手続補正２５】
【補正対象書類名】明細書
【補正対象項目名】０１０４
【補正方法】削除
【補正の内容】
【手続補正２６】
【補正対象書類名】明細書
【補正対象項目名】０１０５
【補正方法】削除
【補正の内容】
【手続補正２７】
【補正対象書類名】明細書
【補正対象項目名】０１０６
【補正方法】削除
【補正の内容】
【手続補正２８】
【補正対象書類名】明細書
【補正対象項目名】０１０７
【補正方法】削除
【補正の内容】